(57)【要約】【課題】  歩くことで健康の維持増進を図りながらも、不快に感じることがなく、しかも長期間使用しても傷みにくい靴の中敷を提供する。【解決手段】  本体１表面には、複数の隆起部２ａ〜２ｅを設ける一方、この隆起部２ａ〜２ｅを除いた部分に複数の小孔５を貫通させる。  そして、本体１表面および裏面のいずれか一方または双方に、収汗性あるいは収湿性を有するカバー部材３，４を固定するとともに、このカバー部材３，４には、上記本体１の隆起部２ａ〜２ｅに重なる部分以外の部分に複数の小孔５を貫通させる。  また、台形の隆起部２ｂを土踏まず反射区Ｂの範囲内に設ける一方、円形の隆起部２ａを踵反射区Ａの範囲内、親指反射区Ｃの範囲内、および、上記親指反射区Ｃと土踏まず反射区Ｂとの間であって本体１の内側寄りに連続的に設ける。【選択図】  図１
2007319503.tif 000002
【特許請求の範囲】
【請求項１】
本体表面には、複数の隆起部を設ける一方、この隆起部を除いた部分に複数の小孔を貫通させた靴の中敷。
【請求項２】
本体表面および裏面のいずれか一方または双方に、収汗性あるいは収湿性を有するカバー部材を固定するとともに、このカバー部材には、上記本体の隆起部に重なる部分以外の部分に複数の小孔を貫通させた請求項１記載の靴の中敷。
【請求項３】
台形の隆起部を土踏まず反射区の範囲内に設ける一方、円形の隆起部を踵反射区の範囲内、親指反射区の範囲内、および、上記親指反射区と土踏まず反射区との間であって本体の内側寄りに連続的に設けた請求項１または２記載の靴の中敷。
【発明の詳細な説明】
【技術分野】
【０００１】
この発明は、健康の維持増進を図る靴の中敷に関する。
【背景技術】
【０００２】
足裏のつぼを刺激するために、表面を隆起させた靴の中敷が従来から知られている。こうした中敷を敷いた靴を履けば、足裏のつぼに上記隆起部が位置するとともに、歩きながら足裏のつぼを刺激して健康の維持増進を図ることができる。
【特許文献１】実用新案登録第１０４００６号
【発明の開示】
【発明が解決しようとする課題】
【０００３】
上記従来の靴の中敷によれば、歩くたびに隆起部が足裏のつぼを刺激して、足の血行がよくなる。
このように、歩行中に足の血行がよくなると、足の発汗機能が活発化して、靴の中で足が蒸れて不快に感じたり、あるいは汗が中敷に染み込んで、中敷の傷みが早まったりするという問題があった。
【０００４】
この発明の目的は、歩くことで健康の維持増進を図りながらも、不快に感じることがなく、しかも長期間使用しても傷みにくい靴の中敷を提供することである。
【課題を解決するための手段】
【０００５】
第１の発明は、本体表面に、複数の隆起部を設ける一方、この隆起部を除いた部分に複数の小孔を貫通させた点に特徴を有する。
第２の発明は、本体表面および裏面のいずれか一方または双方に、収汗性あるいは収湿性を有するカバー部材を固定するとともに、このカバー部材には、上記本体の隆起部に重なる部分以外の部分に複数の小孔を貫通させた点に特徴を有する。
第３の発明は、台形の隆起部を土踏まず反射区の範囲内に設ける一方、円形の隆起部を踵反射区の範囲内、親指反射区の範囲内、および、上記親指反射区と土踏まず反射区との間であって本体の内側寄りに連続的に設けた点に特徴を有する。
【発明の効果】
【０００６】
第１の発明によれば、本体表面に設けた複数の隆起部によって、足裏のつぼを刺激することができるので、歩行しながら健康の維持増進を図ることができる。
しかも、隆起部を除いた部分に複数の小孔を貫通させたので、歩行するたびに小孔内の空気が対流して通気性が非常に高くなるとともに、足から発汗しても、汗が小孔から中敷内に吸収される。したがって、靴の中で足が蒸れて不快に感じることがない。また、通気性が高いので、汗が中敷に染み込んでも、靴を脱げば短時間で中敷を乾燥させることができる。したがって、中敷が傷みにくく、長期間使用することができる。
さらに、隆起部には小孔を形成しないので、長期間に渡って隆起形状を維持することができる。
【０００７】
第２の発明によれば、本体に収汗性または収湿性を有するカバー部材を固定したので、一層靴内の蒸れを低減することができ、不快感を払拭することができる。
第３の発明によれば、特に健康の維持増進を活発化して足の発汗機能が活発化する。このように、発汗機能が活発化しても通気性が極めて高いので、足が蒸れて不快に感じることがない。
【発明を実施するための最良の形態】
【０００８】
図１，２を用いて、この発明の実施形態について説明する。
図１に示す右足用の中敷は本体１からなるが、この本体１の表面には、複数の隆起部２ａ〜２ｅを設けている。本体１を図中点線で示す踵反射区Ａ、土踏まず反射区Ｂ、および親指反射区Ｃに区画すると、上記隆起部２ａは、踵反射区Ａの範囲内に位置するとともに、隆起部２ｅは、親指反射区Ｃの範囲内に位置している。そして、上記踵反射区Ａと親指反射区Ｃとの間に位置する土踏まず反射区Ｂの範囲内には、隆起部２ｂが位置している。また、親指反射区Ｃと土踏まず反射区Ｂとの間であって、本体１の内側寄り（図１中左寄り）に、隆起部２ｃおよび隆起部２ｄが連続的に位置している。
なお、ここでいう踵反射区Ａとは、本体１を靴の中に敷いて足を入れたとき、足の踵が接触する範囲のことであり、同様に土踏まず反射区Ｂは足の土踏まずが、親指反射区Ｃは足の親指あるいはその付け根が位置する範囲のことである。
【０００９】
上記隆起部２ａ〜２ｅは、本体１の上面が隆起した部位であり、この実施形態においては各隆起部２ａ〜２ｅに弾性をもたせている。また、これら各隆起部２ａ〜２ｅは、本体１表面から３ｍｍ〜１０ｍｍの範囲内で隆起しており、直径は約２５ｍｍ〜４５ｍｍ程度であるが、その高さおよび直径は特に限定されるものではなく、任意に決めることができる。また、上記隆起部２ａ，２ｃ，２ｄ，２ｅは、円形の形状であり、隆起部２ｂのみ台形形状であるが、この各隆起部２ａ〜２ｅの形状も特に限定されるものではない。
【００１０】
また、図２に示すように、本体１には、表面および裏面を一対のカバー部材３，４で挟み込んで固定している。この一対のカバー部材３，４は、収汗性あるいは収湿性を有する人工皮革、合成皮革、皮あるいは合成繊維等を素材にしている。そして、本体１をカバー部材３，４で挟み込むようにして覆ったとき、本体１の隆起部２ａ〜２ｅに重なる部分以外のほぼ全面に、多数の小孔５を貫通させている。なお、この小孔５は直径１ｍｍ〜３ｍｍで形成している。また、本体１表面には、隆起部２ａ〜２ｅが隆起しているため、本体１表面を覆うカバー部材３も、これら隆起部２ａ〜２ｅと同様に隆起している。
【００１１】
上記の構成からなる中敷を靴の中に敷いて歩行すると、隆起部２ａ〜２ｅが足裏の各器官や脳を刺激するつぼを押圧する。このように、隆起部２ａ〜２ｅが各つぼを押圧した状態でしばらく歩行を続けると、血行が良化して足から発汗する。しかし、この中敷によれば、歩行するたびに、言い換えれば、中敷を押圧するたびに、弾性力によって小孔５が伸縮するとともに、小孔５内で空気の対流が発生する。特にこの中敷においては、隆起部２ａ〜２ｅが弾性を有しているため、隆起部２ａ〜２ｅをその上方から押圧すると、隆起部２ａ〜２ｅがその半径方向に伸縮する。隆起部２ａ〜２ｅが半径方向に伸縮すれば、本体１全体が幅方向にわずかに伸縮して、小孔５も伸縮することになる。したがって、小孔５内の空気の対流が非常に活発に行われることとなり、靴内の空気が小孔５に入ったり出たりする。
【００１２】
このように、歩行するたびに小孔５内の空気が対流して通気性が非常に高くなれば、靴の中で足が蒸れて不快に感じることがない。また、通気性が高いので、発汗機能が活発化して汗が中敷に染み込んでも、靴を脱げば短時間で中敷を乾燥させることができる。したがって、中敷が傷みにくく、長期間使用することができる。
さらに、隆起部２ａ〜２ｅには小孔５を形成しないので、長期間に渡って隆起形状を維持することができる。
【００１３】
また、本体１には、収汗性または収湿性を有するカバー部材３，４を固定したので、靴内の蒸れを一層低減することができ、不快感を払拭することができる。しかも、隆起部２ａ〜２ｅは、踵反射区Ａ、土踏まず反射区Ｂ、親指反射区Ｃ等に最適な配置をしているので、特に健康の維持増進を活発化することができる。このように、足の発汗機能が活発化する位置に隆起部２ａ〜２ｅを形成しても、この中敷は通気性が極めて高いので、足が蒸れて不快に感じることがない。
なお、上記実施形態においてはカバー部材３，４を本体１の表面および裏面に設けたが、本体１のみによっても靴内の通気性を十分に向上させることができるので、カバー部材３，４を必ずしも設けなくてもよいし、いずれか一方のみを設けてもよい。
【図面の簡単な説明】
【００１４】
【図１】この実施形態の中敷における本体を示す図である。
【図２】図１におけるII-II線断面図である。
【符号の説明】
【００１５】
１          本体
２ａ〜２ｅ  隆起部
３，４      カバー部材
５          小孔
Ａ          踵反射区
Ｂ          土踏まず反射区
Ｃ          親指反射区
【図１】
2007319503.tif 000003
【図２】
2007319503.tif 000004
【手続補正書】
【提出日】平成19年4月2日(2007.4.2)
【手続補正１】
【補正対象書類名】明細書
【補正対象項目名】０００２
【補正方法】変更
【補正の内容】
【０００２】
足裏のつぼを刺激するために、表面を隆起させた靴の中敷が従来から知られている。こうした中敷を敷いた靴を履けば、足裏のつぼに上記隆起部が位置するとともに、歩きながら足裏のつぼを刺激して健康の維持増進を図ることができる。
【特許文献１】実用新案登録第２５１５１１２号
【手続補正２】
【補正対象書類名】図面
【補正対象項目名】図１
【補正方法】変更
【補正の内容】
【図１】
2007319503.tif 000005